(57)【要約】【課題】未熟な職人であっても簡単に、複数の壁材を面一に圧着できる壁構造体を提供する。【解決手段】断熱パネルに形成された穴部に、脚部と平板状の不陸調整面部とを有する不陸調整部材が所定のレベルで取り付けられている。前記不陸調整部材の不陸調整面部に壁材が当接するように配置され、断熱パネルに接着剤で接着されている。【選択図】図１
2007071012.tif 000002
【特許請求の範囲】
【請求項１】
コンクリート壁に断熱材を介して壁材が取り付けられて成る壁構造体において、
断熱材に形成された穴部に、脚部と平板状の不陸調整面部とを有する不陸調整部材が所定のレベルで取り付けられており、
前記不陸調整部材の不陸調整面部に壁材が当接するように配置され、断熱材に接着剤で接着されていることを特徴とする、壁構造体。
【請求項２】
コンクリート壁にプラスチックコーンが埋設されており、同プラスチックコーンのネジ部は断熱材の穴部に通されていること、
不陸調整部材の脚部は内側にネジ山を有する筒状に形成されており、内側のネジ山は前記プラスチックコーンのネジ部にネジ込まれ、断熱材の穴部に不陸調整部材が所定のレベルで取り付けられていることを特徴とする、請求項１に記載した壁構造体。
【請求項３】
コンクリート壁と断熱材とは、型枠パネルの内側に断熱材を取り付けて型枠を組み、同型枠内にコンクリートを打設した後に型枠パネルを解体することによって、一体施工されており、前記断熱材のセパ穴部に不陸調整部材が取り付けられていることを特徴とする、請求項１又は２に記載した壁構造体。
【請求項４】
コンクリート壁に断熱材を介して壁材が取り付けられて成る壁構造体において、
コンクリート壁から突出するプラスチックコーンやセパレータなどのネジ部に、内側にネジ山を有する脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、断熱材に直に接着されていることを特徴とする、壁構造体。
【請求項５】
コンクリート壁に断熱材を介して壁材が取り付けられて成る壁構造体において、
断熱材に、外側にネジ山を有する脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、断熱材に接着剤で接着されていることを特徴とする、壁構造体。
【請求項６】
コンクリート壁に壁材が取り付けられて成る壁構造体において、
コンクリート壁に埋設したセパレータの端部からプラスチックコーンを除去することで、コンクリート壁の凹み部から突出させた前記セパレータの端部に、内側にネジ山を有する筒状の脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、コンクリート壁に接着剤で接着されていることを特徴とする、壁構造体。
【請求項７】
不陸調整部材の脚部に充填剤の充填用穴が形成されており、同充填用穴から前記脚部周辺の空隙に充填剤が充填されていることを特徴とする、請求項１〜６のいずれか一に記載した壁構造体。
【請求項８】
不陸調整部材の脚部は、内側のネジ山として単数又は複数のラチェット機構を有しており、同ラチェット機構はプラスチックコーンのネジ部などへの押し込みを許容し、引き抜きを拘束する形状の３枚以上の爪が脚部の内側に設けられていることを特徴とする、請求項１〜７のいずれか一に記載した壁構造体。
【請求項９】
不陸調整部材は、不陸調整面部が脚部に対して可撓性を有していることを特徴とする、請求項１〜８のいずれか一に記載した壁構造体。
【請求項１０】
不陸調整部材の脚部と不陸調整面部の境界に低剛性部が形成されていることを特徴とする、請求項９に記載した壁構造体。
【請求項１１】
不陸調整部材の不陸調整面部に複数のスリットが形成されていることを特徴とする、請求項９に記載した壁構造体。
【請求項１２】
接着剤はノンフロン一液型ウレタン系発泡接着剤であることを特徴とする、請求項１又は５又は６に記載した壁構造体。
【請求項１３】
コンクリート壁に断熱材を介して壁材が取り付けられて成る壁構造体の施工方法において、
断熱材に形成した穴部に、脚部と平板状の不陸調整面部とを有する不陸調整部材を所定のレベルで取り付け、前記不陸調整部材の不陸調整面部に壁材を当接するように配置し、断熱材に接着剤で接着することを特徴とする、壁構造体の施工方法。
【請求項１４】
コンクリート壁に埋設したプラスチックコーンのネジ部を断熱材の穴部に通すこと、
不陸調整部材の脚部は内側にネジ山を有する筒状に形成しており、内側のネジ山を前記プラスチックコーンのネジ部にネジ込み、断熱材の穴部に不陸調整部材を所定のレベルで取り付けること、
を特徴とする、請求項１３に記載した壁構造体の施工方法。
【請求項１５】
コンクリート壁と断熱材とは、型枠パネルの内側に断熱材を取り付けて型枠を組み、同型枠内にコンクリートを打設した後に型枠パネルを解体することによって、一体施工し、前記断熱材のセパ穴部に不陸調整部材を取り付けることを特徴とする、請求項１３又は１４に記載した壁構造体の施工方法。
【請求項１６】
コンクリート壁に断熱材を介して壁材が取り付けられて成る壁構造体の施工方法において、
コンクリート壁から突出するプラスチックコーンやセパレータなどのネジ部に、内側にネジ山を有する脚部と平板状の不陸調整面部とを有する不陸調整部材を、前記脚部のネジ山をネジ込むことによって、所定のレベルで取り付けること、
前記不陸調整部材を避けるように、コンクリート壁に断熱材を吹き付けること、
前記断熱材が硬化するまでに、同断熱材に壁材を押し込んで、不陸調整部材の不陸調整面部に前記壁材を当接するように配置し、断熱材に直に接着すること、
を特徴とする、壁構造体の施工方法。
【請求項１７】
コンクリート壁に断熱材を介して壁材が取り付けられて成る壁構造体の施工方法において、
断熱材に、外側にネジ山を有する脚部と平板状の不陸調整面部とを有する不陸調整部材を、前記脚部のネジ山をネジ込むことによって、所定のレベルで取り付け、前記不陸調整部材の不陸調整面部に壁材を当接するように配置し、断熱材に接着剤で接着することを特徴とする、壁構造体の施工方法。
【請求項１８】
コンクリート壁に壁材が取り付けられて成る壁構造体の施工方法において、
コンクリート壁に埋設したセパレータの端部からプラスチックコーンを除去することで、コンクリート壁の凹み部から突出させた前記セパレータの端部に、内側にネジ山を有する筒状の脚部と平板状の不陸調整面部とを有する不陸調整部材を、前記脚部のネジ山をネジ込むことによって、所定のレベルで取り付けること、
前記不陸調整部材の不陸調整面部に壁材を当接するように配置し、コンクリート壁に接着剤で取り付けること、
を特徴とする、壁構造体の施工方法。
【請求項１９】
不陸調整部材の脚部に充填剤の充填用穴を形成しており、同充填用穴から前記脚部周辺の空隙に充填剤を充填することを特徴とする、請求項１３〜１８のいずれか一に記載した壁構造体の施工方法。
【請求項２０】
不陸調整部材の脚部は、内側のネジ山として単数又は複数のラチェット機構を有しており、同ラチェット機構はプラスチックコーンのネジ部などへの押し込みを許容し、引き抜きを拘束する形状の３枚以上の爪を脚部の内側に設けていることを特徴とする、請求項１３〜１９のいずれか一に記載した壁構造体の施工方法。
【請求項２１】
不陸調整部材は、不陸調整面部が脚部に対して可撓性を有していることを特徴とする、請求項１３〜２０のいずれか一に記載した壁構造体の施工方法。
【請求項２２】
不陸調整部材の脚部と不陸調整面部の境界に低剛性部を形成していることを特徴とする、請求項２１に記載した壁構造体の施工方法。
【請求項２３】
不陸調整部材の不陸調整面部に複数のスリットを形成していることを特徴とする、請求項２１に記載した壁構造体の施工方法。
【請求項２４】
接着剤はノンフロン一液型ウレタン系発泡接着剤であることを特徴とする、請求項１３又は１７又は１８に記載した壁構造体の施工方法。
【発明の詳細な説明】
【技術分野】
【０００１】
本発明は壁構造体及びその施工方法に関する。
【背景技術】
【０００２】
従来、ＲＣ・ＳＲＣ造における壁構造体の施工方法として、石膏系接着剤（ＧＬボンド）を水で練り固めたＧＬダンゴをコンクリート壁や同コンクリート壁に吹き付けられたウレタン（断熱材）に盛り付け、その上に石膏ボードからなる壁材を接着する、所謂ＧＬ工法が一般的に採用されている。ところが、前記ＧＬ工法は、一度、壁材をＧＬボンドに押し込んでしまうと修正できず、複数枚の壁材を面一に接着するには熟練を要する。そのため、近年の熟練した職人不足の傾向に対応できるように、未熟な職人であっても簡単に、複数の壁材を面一に接着できる技術が待望されるが、未だに見聞することはできない。
【０００３】
ちなみに、上記したＧＬ工法は、他に以下のような問題を抱えている。
（１）音に伴う振動を伝え易いという問題がある。すなわち、石膏系の接着剤は硬化後に柔軟性が無く非常に固くなるため、壁体は足音、ドアの開閉等の音の発生に伴う振動を壁、天井又は床等に伝播させてしまい、ＧＬ工法により戸境壁等の音（振動）の発生し易い場所に壁が形成された場合には、これらの問題はより顕著に現われてしまう。
（２）水性接着剤（石膏系接着剤）を使用する湿式工法であり、ＧＬダンゴの盛りつけ時の落下の養生を必要とすると共に、壁材を接着後、硬化・乾燥が完了するまで長時間（最低７２〜１２０時間）を要し、次工程（パテ処理、クロス貼り等）をすぐに行うことができず、工期が長くなる問題がある。
（３）石膏系接着剤は硬化後に柔軟性が無く非常に固くなるため、地震等による躯体の大きな動きはそのまま壁材に伝わり、壁材が破損し易い問題がある。
【０００４】
そのなかで、上記（１）の音（振動）の問題を解決するための幾つかの提案がなされている。
【０００５】
例えば特許文献１には、ＧＬボンドと石膏ボードの間に、発泡プラスチックシートからなる緩衝材を介装し、緩衝材で壁材の振動を緩衝し遮音性能を高める構造が提案されている。
【０００６】
また、特許文献２には、ＧＬ工法用の壁材として、石膏ボード間に制振シートをサンドイッチさせてなる積層体を用いることが提案されている。
【０００７】
【特許文献１】特開２０００−２２６９２１号公報
【特許文献２】特開２００４−３２４３１０号公報
【発明の開示】
【発明が解決しようとする課題】
【０００８】
本発明の目的は、未熟な職人であっても簡単に、複数の壁材を面一に接着できる壁構造体及びその施工方法を提供することである。
【０００９】
本発明の次の目的は、上記したＧＬ工法の（１）〜（３）の問題を解決することができる、壁構造体及びその施工方法を提供することである。
【課題を解決するための手段】
【００１０】
上記した背景技術の課題を解決するための手段として、請求項１に記載した発明に係る壁構造体は、
コンクリート壁に断熱材を介して壁材が取り付けられて成る壁構造体において、
断熱材に形成された穴部に、脚部と平板状の不陸調整面部とを有する不陸調整部材が所定のレベルで取り付けられており、
前記不陸調整部材の不陸調整面部に壁材が当接するように配置され、断熱材に接着剤で接着されていることを特徴とする。
【００１１】
請求項２記載の発明は、請求項１に記載した壁構造体において、
コンクリート壁にプラスチックコーンが埋設されており、同プラスチックコーンのネジ部は断熱材の穴部に通されていること、
不陸調整部材の脚部は内側にネジ山を有する筒状に形成されており、内側のネジ山は前記プラスチックコーンのネジ部にネジ込まれ、断熱材の穴部に不陸調整部材が所定のレベルで取り付けられていることを特徴とする。
【００１２】
請求項３記載の発明は、請求項１又は２に記載した壁構造体において、
コンクリート壁と断熱材とは、型枠パネルの内側に断熱材を取り付けて型枠を組み、同型枠内にコンクリートを打設した後に型枠パネルを解体することによって、一体施工されており、前記断熱材のセパ穴部に不陸調整部材が取り付けられていることを特徴とする。
【００１３】
請求項４に記載した発明に係る壁構造体は、
コンクリート壁に断熱材を介して壁材が取り付けられて成る壁構造体において、
コンクリート壁から突出するプラスチックコーンやセパレータなどのネジ部に、内側にネジ山を有する脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、断熱材に直に接着されていることを特徴とする。
【００１４】
請求項５に記載した発明に係る壁構造体は、
コンクリート壁に断熱材を介して壁材が取り付けられて成る壁構造体において、
断熱材に、外側にネジ山を有する脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、断熱材に接着剤で接着されていることを特徴とする。
【００１５】
請求項６に記載した発明に係る壁構造体は、
コンクリート壁に壁材が取り付けられて成る壁構造体において、
コンクリート壁に埋設したセパレータの端部からプラスチックコーンを除去することで、コンクリート壁の凹み部から突出させた前記セパレータの端部に、内側にネジ山を有する筒状の脚部と平板状の不陸調整面部とを有する不陸調整部材が、前記脚部のネジ山をネジ込むことによって、所定のレベルで取り付けられており、
前記不陸調整部材の不陸調整面部に壁材が当接するように配置され、コンクリート壁に接着剤で接着されていることを特徴とする。
【００１６】
請求項７記載の発明は、請求項１〜６のいずれか一に記載した壁構造体において、
不陸調整部材の脚部に充填剤の充填用穴が形成されており、同充填用穴から前記脚部周辺の空隙に充填剤が充填されていることを特徴とする。
【００１７】
請求項８記載の発明は、請求項１〜７のいずれか一に記載した壁構造体において、
不陸調整部材の脚部は、内側のネジ山として単数又は複数のラチェット機構を有しており、同ラチェット機構はプラスチックコーンのネジ部などへの押し込みを許容し、引き抜きを拘束する形状の３枚以上の爪が脚部の内側に設けられていることを特徴とする。
【００１８】
請求項９記載の発明は、請求項１〜８のいずれか一に記載した壁構造体において、
不陸調整部材は、不陸調整面部が脚部に対して可撓性を有していることを特徴とする。
【００１９】
請求項１０記載の発明は、請求項９に記載した壁構造体において、
不陸調整部材の脚部と不陸調整面部の境界に低剛性部が形成されていることを特徴とする。
【００２０】
請求項１１記載の発明は、請求項９に記載した壁構造体において、
不陸調整部材の不陸調整面部に複数のスリットが形成されていることを特徴とする。
【００２１】
請求項１２記載の発明は、請求項１又は５又は６に記載した壁構造体において、
接着剤はノンフロン一液型ウレタン系発泡接着剤であることを特徴とする。
【００２２】
請求項１３に記載した発明に係る壁構造体の施工方法は、
コンクリート壁に断熱材を介して壁材が取り付けられて成る壁構造体の施工方法において、
断熱材に形成した穴部に、脚部と平板状の不陸調整面部とを有する不陸調整部材を所定のレベルで取り付け、前記不陸調整部材の不陸調整面部に壁材を当接するように配置し、断熱材に接着剤で接着することを特徴とする。
【００２３】
請求項１４記載の発明は、請求項１３に記載した壁構造体の施工方法において、
コンクリート壁に埋設したプラスチックコーンのネジ部を断熱材の穴部に通すこと、
不陸調整部材の脚部は内側にネジ山を有する筒状に形成しており、内側のネジ山を前記プラスチックコーンのネジ部にネジ込み、断熱材の穴部に不陸調整部材を所定のレベルで取り付けること、
を特徴とする。
【００２４】
請求項１５記載の発明は、請求項１３又は１４に記載した壁構造体の施工方法において、
コンクリート壁と断熱材とは、型枠パネルの内側に断熱材を取り付けて型枠を組み、同型枠内にコンクリートを打設した後に型枠パネルを解体することによって、一体施工し、前記断熱材のセパ穴部に不陸調整部材を取り付けることを特徴とする。
【００２５】
請求項１６に記載した発明に係る壁構造体の施工方法は、
コンクリート壁に断熱材を介して壁材が取り付けられて成る壁構造体の施工方法において、
コンクリート壁から突出するプラスチックコーンやセパレータなどのネジ部に、内側にネジ山を有する脚部と平板状の不陸調整面部とを有する不陸調整部材を、前記脚部のネジ山をネジ込むことによって、所定のレベルで取り付けること、
前記不陸調整部材を避けるように、コンクリート壁に断熱材を吹き付けること、
前記断熱材が硬化するまでに、同断熱材に壁材を押し込んで、不陸調整部材の不陸調整面部に前記壁材を当接するように配置し、断熱材に直に接着すること、
を特徴とする。
【００２６】
請求項１７に記載した発明に係る壁構造体の施工方法は、
コンクリート壁に断熱材を介して壁材が取り付けられて成る壁構造体の施工方法において、
断熱材に、外側にネジ山を有する脚部と平板状の不陸調整面部とを有する不陸調整部材を、前記脚部のネジ山をネジ込むことによって、所定のレベルで取り付け、前記不陸調整部材の不陸調整面部に壁材を当接するように配置し、断熱材に接着剤で接着することを特徴とする。
【００２７】
請求項１８に記載した発明に係る壁構造体の施工方法は、
コンクリート壁に壁材が取り付けられて成る壁構造体の施工方法において、
コンクリート壁に埋設したセパレータの端部からプラスチックコーンを除去することで、コンクリート壁の凹み部から突出させた前記セパレータの端部に、内側にネジ山を有する筒状の脚部と平板状の不陸調整面部とを有する不陸調整部材を、前記脚部のネジ山をネジ込むことによって、所定のレベルで取り付けること、
前記不陸調整部材の不陸調整面部に壁材を当接するように配置し、コンクリート壁に接着剤で取り付けること、
を特徴とする。
【００２８】
請求項１９記載の発明は、請求項１３〜１８のいずれか一に記載した壁構造体の施工方法において、
不陸調整部材の脚部に充填剤の充填用穴を形成しており、同充填用穴から前記脚部周辺の空隙に充填剤を充填することを特徴とする。
【００２９】
請求項２０記載の発明は、請求項１３〜１９のいずれか一に記載した壁構造体の施工方法において、
不陸調整部材の脚部は、内側のネジ山として単数又は複数のラチェット機構を有しており、同ラチェット機構はプラスチックコーンのネジ部などへの押し込みを許容し、引き抜きを拘束する形状の３枚以上の爪を脚部の内側に設けていることを特徴とする。
【００３０】
請求項２１記載の発明は、請求項１３〜２０のいずれか一に記載した壁構造体の施工方法において、
不陸調整部材は、不陸調整面部が脚部に対して可撓性を有していることを特徴とする。
【００３１】
請求項２２記載の発明は、請求項２１に記載した壁構造体の施工方法において、
不陸調整部材の脚部と不陸調整面部の境界に低剛性部を形成していることを特徴とする。
【００３２】
請求項２３記載の発明は、請求項２１に記載した壁構造体の施工方法において、
不陸調整部材の不陸調整面部に複数のスリットを形成していることを特徴とする。
【００３３】
請求項２４記載の発明は、請求項１３又は１７又は１８に記載した壁構造体の施工方法において、
接着剤はノンフロン一液型ウレタン系発泡接着剤であることを特徴とする。
【発明の効果】
【００３４】
本発明の壁構造体及びその施工方法は、壁材を不陸調整部材の不陸調整面部に当接するまで押し込むだけで、壁材を所定のレベルに接着できるので、未熟な職人であっても簡単に、複数の壁材を面一に接着できる。
【００３５】
特に、接着剤としてノンフロン一液型ウレタン系発泡接着剤を用いると、壁材を接着後、極めて短時間（約４時間程度）で次工程（パテ処理、クロス貼り等）を行うことができ、容易に且つ短期間で壁構造体を施工することができる。
【００３６】
また、ノンフロン一液型ウレタン系発泡接着剤は、石膏系接着剤のようにガチガチに硬化せず、適度な柔らかさを持つため、地震等による躯体の大きな動きがそのまま壁材に伝わらず、面内変形追従性に優れるため、壁材の破損防止効果を有し、耐震性を高めることができると共に、防振性に優れる（耐衝撃性に優れる）ことにより、中高音域の音抜けを改善し、湿式石膏系接着剤と比較すると遮音性能を大幅に改善することができる。
【００３７】
更に、不陸調整面部が脚部に対して可撓性を有している不陸調整部材を用いた場合には、適度な柔らかさを持つノンフロン一液型ウレタン系発泡接着剤の使用による上記効果を最大限に発揮することができる。
【発明を実施するための最良の形態】
【００３８】
＜実施形態１＞
本発明の実施形態１を図面に基づいて説明するが、本発明はかかる形態例に限定されるものではない。
【００３９】
図１は本発明の壁構造体の一例を示す断面図であり、本発明の特徴部分である壁構造体の屋内側の断面構造を示している。図中、１１はコンクリート壁、１２は断熱材（図示例では断熱パネル）、１３はジョイナー、１４は全ネジボルト、１５は脚部１５ａと不陸調整面部１５ｂとからなる不陸調整部材、１６はノンフロン一液型ウレタン系発泡接着剤、１７は内装用壁材である。
【００４０】
本例の壁構造体は、コンクリート壁１１に断熱材１２を介して内装用壁材１７を取り付けて成る。具体的には、型枠パネルの内側に断熱材を取付けて型枠を組み、コンクリート打設後に型枠パネルのみを解体する打込み工法によって断熱材とコンクリート壁とを一体施工し、型枠パネルのみを解体した後に断熱材１２のセパ穴部に不陸調整部材１５を取り付け、さらに断熱材１２の表面にノンフロン一液型ウレタン系発泡接着剤１６によって内装用壁材１７を不陸調整部材１５の不陸調整面部１５ｂに当接した状態で接着して構築されている。
【００４１】
以下、本例の壁構造体の施工方法を説明する。
【００４２】
図２は壁の型枠にコンクリートを打設した状態を示す断面図、図３はコンクリート打設後に型枠パネルを解体した状態を示す断面図、図４は断熱材のセパ穴部に不陸調整部材を取り付けた状態を示す断面図、図５は断熱材の表面にノンフロン一液型ウレタン系発泡接着剤によって内装用壁材を接着する様子を示す断面図である。なお、図３乃至図５は、図１と同様に、本発明の特徴部分である壁構造体の屋内側の断面構造を示している。
【００４３】
先ず、図２に示すように、屋内側の型枠パネル２１ａの内側に断熱材１２を取付けて型枠パネルを建て込み（屋外側は型枠パネル２１ｂのみ）、一般的な型枠組みと同様に、端太角（内端太）２２、鋼管（外端太）２３、締め付け具２４、セパレータ２５ａ、２５ｂなどで型枠を組んだ後、コンクリートを打設する。なお、断熱材１２側には、一般的なプラスチックコーン２６の替わりに図示のようなジョイナー１３を使用している。このジョイナー１３は、型枠締めによって断熱材１２が圧縮変形しないように、断熱材１２への当接面がプラスチックコーン２６よりも大きなものである。
【００４４】
本発明で用いる断熱材１２としては、軽量で耐水性・断熱性・耐圧性に優れたものが好ましく、独立気泡を有する合成樹脂発泡体が好適である。具体的には、例えばポリスチレン系発泡体，ポリエチレン系発泡体，ポリプロピレン系発泡体，ポリウレタン系発泡体，フェノール系発泡体等の独立気泡を有する合成樹脂発泡体が好適である。特に押出発泡ポリスチレン（商品名「スタイロフォーム」：ダウ化工（株）製）は、高い断熱性及び低い吸水性を有すると共に、ノンフロン、ノンホルムアルデヒド断熱材であり、内装用壁材の接着にノンフロン一液型ウレタン系発泡接着剤を用いる本発明においてはシックハウス対策としても最適である。なお、本発明で用いる断熱材１２は、後述する実施形態３を除いて、工場などで予めパネル状に成形された断熱パネル、又は現場サイトでコンクリート壁に吹き付ける断熱フォームの両方を用いることができる。
【００４５】
コンクリート硬化後に型枠パネルを解体除去すると、図３に示すように、コンクリート壁１１に断熱材１２が一体化された状態となる。また、ジョイナー１３からセパレータ２５ｂを取り外した部分には、セパ穴３１が残された状態となる。
【００４６】
次に、図４に示すように、セパ穴３１を利用して不陸調整部材１５を取り付けるが、先ずこの不陸調整部材１５の形態を図６を用いて説明する。図６（ａ）は不陸調整面部側から見た図であり、図６（ｂ）は図６（ａ）中のＡ−Ａ’断面図である。
【００４７】
本例の不陸調整部材１５は、内側と外側にネジ山を有する筒状の脚部１５ａと平板状の不陸調整面部１５ｂから成る樹脂製部材である。断熱材１２に形成されるセパ穴部は断熱欠損となるが、不陸調整部材１５として熱伝導率の比較的小さい樹脂製部材とすることにより、この部分の断熱欠損を小さく抑えることができる。
【００４８】
脚部１５ａと不陸調整面部１５ｂの連結部分（境界部分）には低剛性部６１が形成されており、不陸調整面部１５ｂの中央にはプラスドライバーを用いてねじ込めるようにプラス溝６２が形成されている。前記低剛性部６１は、脚部１５ａと不陸調整面部１５ｂの連結部分を細く絞ったものであり、これによって不陸調整面部１５ｂは脚部１５ａに対して図６（ｂ）中の矢印の方向に変位可能な可撓性を有している。
【００４９】
不陸調整面部１５ｂを脚部１５ａに対して変位可能にするには、上記のような低剛性部６１を形成する以外にも、例えば図７乃至図９に示すような形態が可能である。
【００５０】
図７に示す不陸調整部材１５は、不陸調整面部１５ｂの脚部１５ａとの連結部分に円形状の溝７１を形成したものであり、これによって不陸調整面部１５ｂは脚部１５ａに対して図７（ｂ）中の矢印の方向に変位可能な可撓性を有している。
【００５１】
図８に示す不陸調整部材１５は、不陸調整面部１５ｂの脚部１５ａとの連結部分を部分的に切り欠いた開口８１を形成したものであり、これによって不陸調整面部１５ｂは脚部１５ａに対して図８（ｂ）中の矢印の方向に変位可能な可撓性を有している。
【００５２】
図９に示す不陸調整部材１５は、不陸調整面部１５ｂに４本のスリット９１を形成したものである。このように、不陸調整面部１５ｂの周縁部から中心に向かう複数のスリット９１を形成することにより、各スリット間の領域がそれぞれ独立して脚部１５ａに対して図９（ｂ）中の矢印の方向に変位可能な可撓性を有するものとなる。なお、スリット９１の本数は特に限定されないが、３〜６本程度が好ましい。
【００５３】
上記のような低剛性部（絞り部）６１、溝７１、開口８１もしくはスリット９１を設けることにより、不陸調整面部１５ｂに、脚部１５ａに対する所望の可撓性を付与することができる。
【００５４】
不陸調整部材１５の取り付けに際しては、図４に示すように、先にセパ穴３１に全ネジボルト１４を挿入してジョイナー１３に螺合せしめ、この全ネジボルト１４に不陸調整部材１５の脚部１５ａを螺合せしめる。この時、例えばレーザーポインター等による内装仕上げ墨出しライン（本発明で云う所定のレベル）を基準に、プラスドライバーを用いて不陸調整面部１５ｂのレベルを調整することにより、断熱材１２の表面に不陸が生じていても全ての不陸調整部材１５の不陸調整面部１５ｂのレベルを簡単に揃えることができる。また、図示のように不陸調整面部１５ｂが断熱材１２に当接しない範囲でレベルを揃え、前述のように不陸調整面部１５ｂが変位できるように配慮する。
【００５５】
ちなみに、図６〜図９に示す不陸調整部材１５は脚部１５ａの内側全域にネジ山を有する構成とされているが、図１０に示すように、ネジ山として２段（但しこの限りでない。）のラチェット機構１８、１８を有し、各々のラチェット機構１８は、上記全ネジボルト１４への押し込みを許容し、引き抜きを拘束するように、上方へ向かって傾いた形状の３枚（但しこの限りでない。）の爪１８ａ‥が脚部１５ａの内側に略等間隔の配置で設けられた構成でも良い。図１０に示す不陸調整部材１５を用いると、全ネジボルト１４へ簡単且つ迅速に押し込むことができ、万一押し込み過ぎた場合でも爪１８ａが全ネジボルト１４に噛み合っているので、ネジ戻すことで不陸調整面部１５ｂのレベルを簡単に調整することができる。なお、図１０に示すように、不陸調整部材１５のラチェット機構１８を複数段有する場合は、不陸調整部材１５の押し込み深さに応じて、一段目と二段目の間で切断し、不陸調整部材１５の脚部１５ａの長さを短くすることができる。また、脚部１５ａに充填剤の充填用穴１５ｃが形成されていると、同充填用穴１５ｃから脚部１５ａ周辺の空隙に充填剤を充填でき、断面欠損部の発生を最小限に抑えることができる。
【００５６】
不陸調整面部１５ｂには、予め離型紙付きの両面粘着テープ４１を貼り付けておくのが好ましい。この両面粘着テープ４１は、断熱材１２の表面にノンフロン一液型ウレタン系発泡接着剤１６によって内装用壁材１７を接着させる際、ノンフロン一液型ウレタン系発泡接着剤１６が硬化するまでの間の仮止め用のものである。この場合、両面粘着テープ４１がプラス溝６２を塞がないように配慮する。なお、両面粘着テープ４１は、内装用壁材１７を接着する直前に不陸調整面部１５ｂに貼り付けても良い。
【００５７】
また、本発明においては、上記の不陸調整部材１５と全ネジボルト１４を一体化したものを不陸調整部材として使用しても良い。
【００５８】
不陸調整部材１５は、内装用壁材１７の割り付けを考慮した位置に取り付けられるものであり、必ずしも全てのセパ穴部に取り付ける必要は無い。また、セパ穴部への不陸調整部材１５の取り付けだけでは不陸調整や仮止めの面で十分でない場合には、適宜、セパ穴部以外にも不陸調整部材１５を取り付けることもできる。このような場合には、予め断熱材１２に脚部１５ａの外径よりも若干小さめの穴を開け、不陸調整部材１５を直にネジ込むことにより、脚部１５ａの外側のネジ山を断熱材１２に食い込ませるようにして不陸調整部材１５を取り付けることができる。
【００５９】
次に、図５に示すように、断熱材１２（もしくは内装用壁材１７）にノンフロン一液型ウレタン系発泡接着剤１６をダンゴ状に塗布し、両面粘着テープ４１の離型紙を剥がし（両面粘着テープ４１を用いない場合には、内装用壁材１７をビス等で不陸調整面部１５ｂに仮止めすることもできる。）、断熱材１２の表面にノンフロン一液型ウレタン系発泡接着剤１６によって内装用壁材１７を不陸調整部材１５の不陸調整面部１５ｂに当接した状態で接着することによって、図１に示したような壁構造体が構築される。なお、内装用壁材１７へのノンフロン一液型ウレタン系発泡接着剤１６の塗布は、例えば図１１に示すように、内装用壁材１７の周辺部および中央部にバランス良く配置するのが良い。
【００６０】
内装用壁材１７は特に限定されるものではなく、例えば石膏ボード、珪酸カルシウム板、フレキシブルボード、木材、合板等、一般に内装下地材もしくは内装材として用いられているものを用いることができる。
【００６１】
上記した壁構造体及びその施工方法は、内装用壁材１７を不陸調整部材１５の不陸調整面部１５ｂに当接するまで押し込むだけで、内装用壁材１７を所定のレベルに接着できるので、未熟な職人であっても簡単に、複数の内装用壁材１７…を面一に接着できる。
【００６２】
本実施形態で接着剤として用いたノンフロン一液型ウレタン系発泡接着剤は、フロン系ガスを使わない炭化水素（ＨＣ）発泡の乾式接着剤である。具体的には例えば、商品名バブルボンド（ＩＬＬＢＲＵＣＫ  Ａｒｋｅｌ，ＮＥＴＨＥＲＬＡＮＤＳ．製／販売元（株）桐井製作所）が挙げられる。このバブルボンドは、ジフェニルメタン４．４ジイソシアネートを主成分とし、硬化後の密度が２０〜２５ｋｇ／ｍ3と軽く（石膏系接着剤の約１／１０の重量）、石膏系接着剤を用いるＧＬ工法に比べて壁仕上げ重量の大幅な軽量化を図ることができる。
【００６３】
また、ノンフロン一液型ウレタン系発泡接着剤は、石膏系接着剤のような事前の現場調合を必要とせず、また乾式接着剤であるため内装用壁材を接着後、極めて短時間（約４時間程度）でパテ処理、クロス貼り等の次工程を行うことができ、容易に且つ短期間で壁構造体を施工することができる。
【００６４】
さらに、ノンフロン一液型ウレタン系発泡接着剤は、石膏系接着剤のようにガチガチに硬化せず、低反発で適度な柔らかさを持つため、地震等による躯体の大きな動きがそのまま内装用壁材に伝わらず、面内変形追従性に優れるため、内装用壁材の破損防止効果を有し、耐震性を高めることができる。それに加え、低反発で防振性に優れる（耐衝撃性に優れる）ことにより、中高音域の音抜けを改善し、湿式石膏系接着剤と比較すると遮音性能を大幅に改善することもできる。
【００６５】
本実施形態のように、不陸調整面部１５ｂが脚部１５ａに対して可撓性を有している不陸調整部材１５を用いることにより、適度な柔らかさを持つノンフロン一液型ウレタン系発泡接着剤の使用による上記耐震性の向上効果を最大限に発揮することができる。
【００６６】
また、ＲＣ・ＳＲＣ造の建築物の柱が地震発生時、せん断破壊するのを防止するために、建築物のコンクリート壁の中に耐震スリットを埋設して、柱と壁の縁を切る耐震工法が近年のマンション等ではほとんど採用されている。この耐震工法は、耐震スリットによって壁と柱の縁を切って短柱としないことで、スリットの幅だけ遊び部分を作り、地震発生時強大な力で壁と柱が干渉しあって（押し合って）柱がせん断破壊されるのを防ぐ施工方法である。本発明の壁構造体及びその施工方法は、このような耐震工法と組み合わせることにより、極めて効果的にＲＣ・ＳＲＣ造の建築物の耐震性を向上せしめることができるものである。
【００６７】
＜実施形態２＞
本発明の実施形態２を図面に基づいて説明する。
【００６８】
図１２は本実施形態の工程図を示し、図１３は内装用壁材１７を接着した状態を示す拡大図である。図中、２７はプラスチックコーンを示し、上記実施形態１と同じ符号は同様の部材を示している。
【００６９】
本実施形態の壁構造体及びその施工方法は、コンクリート壁１１に埋設されたプラスチックコーン２７を用いて不陸調整部材１５を取り付けている。
【００７０】
具体的に云うと、一般的な打ち込み工法と同様に断熱材１２側にもプラスチックコーン２７をネジ込んで、先にコンクリート壁１１を施工し（図１２（ａ）参照）、このプラスチックコーン２７のネジ部２７ａに断熱材１２の穴部１２ａを通し、同断熱材１２をコンクリート壁１１に接合する（図１２（ｂ）参照）。断熱材１２の穴部１２ａはプラスチックコーン２７のネジ部２７ａに対応する位置に、不陸調整部材１５の脚部１５ａの外径より若干小さい内径で予め形成している。
【００７１】
不陸調整部材１５の外側のネジ山を断熱材１２の穴部１２ａにネジ込むと共に、内側のネジ山を前記プラスチックコーン２７のネジ部２７ａにネジ込み、断熱材１２の穴部１２ａに不陸調整部材１５を所定のレベルで取り付ける。なお、不陸調整部材１５の内側のネジ山をプラスチックコーン２７のネジ部２７ａにネジ込むことによって、同不陸調整部材１５をしっかりと取り付けることができる場合は、不陸調整部材１５の脚部１５ａにおける外側のネジ山を省略しても良い。
【００７２】
その後の工程は、断熱材１２にノンフロン一液型ウレタン系発泡接着剤１６をダンゴ状に塗布し、内装用壁材１７が不陸調整部材１５の不陸調整面部１５ｂに当接するまで、ノンフロン一液型ウレタン系発泡接着剤１６に押し込み、断熱材１２に内装用壁材１７をノンフロン一液型ウレタン系発泡接着剤１６で接着する。ちなみに、ノンフロン一液型ウレタン系発泡接着剤１６が硬化するまでに、内装用壁材１７がズリ動かないように、内装用壁材１７を不陸調整部材１５の不陸調整面部１５ｂに仮止めビス２０で固定することが好ましい（図１３参照）。また、不陸調整部材１５の脚部１５ａの内部は断面欠損部となるので、ノンフロン一液型ウレタン系発泡接着剤１６を充填しておくことが好ましい。更には、図示例のように、ネジ山としてラチェット機構１８を有する不陸調整部材１５を用いることが好ましい。プラスチックコーン２７へ簡単且つ迅速に押し込むことができ、万一押し込み過ぎた場合でも爪１８ａがプラスチックコーン２７に噛み合っているので、ネジ戻すことで不陸調整面部１５ｂのレベルを簡単に調整することができるからである。また、不陸調整部材１５は、図６〜図９に示すように、不陸調整面部１５ｂに、脚部１５ａに対する所望の可撓性を付与しておくことが好ましい。
【００７３】
上記した壁構造体及びその施工方法も、内装用壁材１７を不陸調整部材１５の不陸調整面部１５ｂに当接するまで押し込むだけで、内装用壁材１７を所定のレベルに接着できるので、未熟な職人であっても簡単に、複数の内装用壁材１７…を面一に接着できる。しかも、従来ＧＬ工法が有していた、種々の課題を解決することができる。
【００７４】
＜実施形態３＞
本発明の実施形態３を図面に基づいて説明する。
【００７５】
図１４は本実施形態の工程図を示し、図１５は内装用壁材１７を接着した状態を示す拡大図である。図中、上記実施形態１などと同じ符号は同様の部材を示している。
【００７６】
本実施形態の壁構造体及びその施工方法も、コンクリート壁１１に埋設されたプラスチックコーン２７を用いて不陸調整部材１５を取り付けている。
【００７７】
具体的に云うと、コンクリート壁１１を施工後に、先にプラスチックコーン２７のネジ部２７ａに不陸調整部材１５の内側のネジ山をネジ込む（図１４（ａ）参照）。なお、不陸調整部材１５の内側のネジ山をプラスチックコーン２７のネジ部２７ａにネジ込むことによって、同不陸調整部材１５をしっかりと取り付けることができる場合は、不陸調整部材１５の外側のネジ山を省略しても良い。
【００７８】
その後の工程は、不陸調整部材１５の不陸調整面部１５ｂをマスキングテープなどで覆い、同不陸調整部材１５を避けるように、コンクリート壁１１に断熱材（断熱フォーム）１２を吹き付ける。このとき、後に前記断熱材１２に直に内装用壁材１７を接着することができるように、断熱材１２を不陸調整部材１５の不陸調整面部１５ｂより若干高い位置まで吹き付ける（図１４（ｂ）参照）。ここで、用いられる断熱材（断熱フォーム）としては、現場吹き付けウレタンフォーム（スプレー発泡ウレタンフォーム）が好適である。
【００７９】
そして、前記断熱材１２が硬化するまでに、内装用壁材１７が不陸調整部材１５の不陸調整面部１５ｂに当接するまで、前記断熱材１２に押し込み、同断熱材１２に直に内装用壁材１７を接着する。ちなみに、断熱材１２が硬化するまでに、内装用壁材１７がズリ動かないように、内装用壁材１７を不陸調整部材１５の不陸調整面部１５ｂに仮止めビス２０で固定することが好ましい（図１５参照）。また、不陸調整部材１５の脚部１５ａの内部は断面欠損部となるので、ノンフロン一液型ウレタン系発泡接着剤１６を充填しておくことが好ましい。更には、図示例のように、ネジ山としてラチェット機構１８を有する不陸調整部材１５を用いることが好ましい。プラスチックコーン２７へ簡単且つ迅速に押し込むことができ、万一押し込み過ぎた場合でも爪１８ａがプラスチックコーン２７に噛み合っているので、ネジ戻すことで不陸調整面部１５ｂのレベルを簡単に調整することができるからである。また、不陸調整部材１５は、図６〜図９に示すように、不陸調整面部１５ｂに、脚部１５ａに対する所望の可撓性を付与しておくことが好ましい。
【００８０】
上記した壁構造体及びその施工方法も、内装用壁材１７を不陸調整部材１５の不陸調整面部１５ｂに当接するまで押し込むだけで、内装用壁材１７を所定のレベルに接着できるので、未熟な職人であっても簡単に、複数の内装用壁材１７…を面一に接着できる。しかも、従来ＧＬ工法が有していた、種々の課題を解決することができる。
【００８１】
なお、本実施形態では、不陸調整部材１５をプラスチックコーン２７のネジ部２７ａに取り付けたが、上記実施形態１と同様に、全ネジボルト１４に取り付けても同様に実施できる。
【００８２】
＜実施形態４＞
本発明の実施形態４を図面に基づいて説明する。
【００８３】
図１６は内装用壁材１７を取り付けた状態を示す拡大図である。図中、上記実施形態１などと同じ符号は同様の部材を示している。
【００８４】
本実施形態の壁構造体及びその施工方法は、断熱材１２に直に不陸調整部材１５を取り付けている。
【００８５】
具体的に云うと、断熱材１２に、不陸調整部材１５の外側のネジ山をネジ込むことによって、所定のレベルに取り付ける。なお、図示例のように、外側のネジ山を断熱材１２にネジ込むことによって、同不陸調整部材１５をしっかりと取り付けることができる場合は、不陸調整部材１５の脚部１５ａにおける内側のネジ山を省略できる。
【００８６】
その後の工程は、図示は省略したが、断熱材１２にノンフロン一液型ウレタン系発泡接着剤１６をダンゴ状に塗布し、内装用壁材１７が不陸調整部材１５の不陸調整面部１５ｂに当接するまで、ノンフロン一液型ウレタン系発泡接着剤１６に押し込み、断熱材１２に内装用壁材１７をノンフロン一液型ウレタン系発泡接着剤１６で接着する。ちなみに、ノンフロン一液型ウレタン系発泡接着剤１６が硬化するまでに、内装用壁材１７がズリ動かないように、内装用壁材１７を不陸調整部材１５の不陸調整面部１５ｂに仮止めビス２０で固定することが好ましい。また、不陸調整部材１５は、図６〜図９に示すように、不陸調整面部１５ｂに、脚部１５ａに対する所望の可撓性を付与しておくことが好ましい。
【００８７】
上記した壁構造体及びその施工方法も、内装用壁材１７を不陸調整部材１５の不陸調整面部１５ｂに当接するまで押し込むだけで、内装用壁材１７を所定のレベルに接着できるので、未熟な職人であっても簡単に、複数の内装用壁材１７…を面一に接着できる。しかも、従来ＧＬ工法が有していた、種々の課題を解決することができる。
【００８８】
＜実施形態５＞
本発明の実施形態５を図面に基づいて説明する。
【００８９】
図１７は内装用壁材を取り付けた状態を示す拡大図である。図中、上記実施形態１などと同じ符号は同様の部材を示している。
【００９０】
本実施形態の壁構造体及びその施工方法は、コンクリート壁１１に埋設されたセパレータ２５ａを用いて不陸調整部材１５を取り付けている。
【００９１】
具体的に云うと、コンクリート壁１１を施工した後に、セパレータ２５ａからプラスチックコーン２７を除去し、それによりコンクリート壁１１の凹み部１１ａから突出させた前記セパレータ２５ａの端部に、不陸調整部材１５の内側のネジ山をネジ込み、所定のレベルで取り付ける。
【００９２】
その後の工程は、コンクリート壁１１にノンフロン一液型ウレタン系発泡接着剤１６をダンゴ状に塗布し、内装用壁材１７が不陸調整部材１５の不陸調整面部１５ｂに当接するまで、ノンフロン一液型ウレタン系発泡接着剤１６に押し込み、コンクリート壁１１に内装用壁材１７をノンフロン一液型ウレタン系発泡接着剤１６で接着する（図１７参照）。ちなみに、ノンフロン一液型ウレタン系発泡接着剤１６が硬化するまでに、内装用壁材１７がズリ動かないように、内装用壁材１７を不陸調整部材１５の不陸調整面部１５ｂに仮止めビス２０で固定することが好ましい。また、不陸調整部材１５の脚部１５ａに充填剤（本実施形態ではノンフロン一液型ウレタン系発泡接着剤）２８の充填用穴１５ｃを形成しておき、同充填用穴１５ｃからコンクリート壁１１の凹み部１１ａとの間に前記充填剤２８を充填すると、クッション性、耐震性が向上するので好ましい。更には、図示例のように、ネジ山としてラチェット機構１８を有する不陸調整部材１５を用いることが好ましい。セパレータ２５ａへ簡単且つ迅速に押し込むことができ、万一押し込み過ぎた場合でも爪１８ａがセパレータ２５ａに噛み合っているので、ネジ戻すことで不陸調整面部１５ｂのレベルを簡単に調整することができるからである。また、不陸調整部材１５は、図６〜図９に示すように、不陸調整面部１５ｂに、脚部１５ａに対する所望の可撓性を付与しておくことが好ましい。
【００９３】
上記した壁構造体及びその施工方法も、内装用壁材１７を不陸調整部材１５の不陸調整面部１５ｂに当接するまで押し込むだけで、内装用壁材１７を所定のレベルに接着できるので、未熟な職人であっても簡単に、複数の内装用壁材１７…を面一に接着できる。しかも、従来ＧＬ工法が有していた、種々の課題を解決することができる。
【００９４】
なお、本実施形態では、内装用壁材１７をノンフロン一液型ウレタン系発泡接着剤１６で取り付けているが、上記実施形態３と同様に、コンクリート壁１１に断熱材１２を吹き付け、同断熱材１２が硬化するまでに、内装用壁材１７が不陸調整部材１５の不陸調整面部１５ｂに当接するまで押し込み、内装用壁材１７を前記断熱材１２で接着しても良い。
【００９５】
上記した実施形態１〜５は内装用壁材の実施形態を示したが、外装用壁材でも略同様に実施できる。その場合、壁材としては通例用いられる外装用壁材が用いられる。
【図面の簡単な説明】
【００９６】
【図１】本発明の実施形態１の壁構造体を示す断面図である。
【図２】本発明の実施形態１の壁構造体の施工方法を説明するための断面図である。
【図３】本発明の実施形態１の壁構造体の施工方法を説明するための断面図である。
【図４】本発明の実施形態１の壁構造体の施工方法を説明するための断面図である。
【図５】本発明の実施形態１の壁構造体の施工方法を説明するための断面図である。
【図６】本発明で用いる不陸調整部材の一例を示す図であり、（ａ）は不陸調整面部側から見た図、（ｂ）は（ａ）中のＡ−Ａ’断面図である。
【図７】本発明で用いる不陸調整部材の別の例を示す図であり、（ａ）は不陸調整面部側から見た図、（ｂ）は（ａ）中のＢ−Ｂ’断面図である。
【図８】本発明で用いる不陸調整部材の別の例を示す図であり、（ａ）は不陸調整面部側から見た図、（ｂ）は（ａ）中のＣ−Ｃ’断面図である。
【図９】本発明で用いる不陸調整部材の別の例を示す図であり、（ａ）は不陸調整面部側から見た図、（ｂ）は（ａ）中のＤ−Ｄ’断面図である。
【図１０】本発明で用いる不陸調整部材の別の例を示す図であり、（ａ）は不陸調整面部側から見た図、（ｂ）は側面図、（ｃ）は（ａ）中のＥ−Ｅ’断面図である。
【図１１】内装用壁材へのノンフロン一液型ウレタン系発泡接着剤の塗布を示す図である。
【図１２】（ａ）、（ｂ）は、本発明の実施形態２の壁構造体の施工方法を示す施工図である。
【図１３】不陸調整部材の取り付け構造を示す拡大断面図である。
【図１４】（ａ）、（ｂ）は、本発明の実施形態３の壁構造体の施工方法を示す施工図である。
【図１５】不陸調整部材の取り付け構造を示す拡大断面図である。
【図１６】本発明の実施形態４の壁構造体における不陸調整部材の取り付け構造を示す拡大断面図である。
【図１７】本発明の実施形態５の壁構造体における不陸調整部材の取り付け構造を示す拡大断面図である。
【符号の説明】
【００９７】
１１  コンクリート壁
１２  断熱材
１２ａ  断熱材の穴部
１３  ジョイナー
１４  全ネジボルト
１５  不陸調整部材
１５ａ  脚部
１５ｂ  不陸調整面部
１６  ノンフロン一液型ウレタン系発泡接着剤
１７  内装用壁材
１８  ラチェット機構
１８ａ  ラチェット機構の爪
２０  仮止めビス
２１ａ  屋内側型枠パネル
２１ｂ  屋外側型枠パネル
２２  端太角（内端太）
２３  鋼管（外端太）
２４  締め付け具
２５ａ、２５ｂ  セパレータ
２６  プラスチックコーン
２７  プラスチックコーン
３１  セパ穴
４１  両面粘着テープ
６１  低剛性部
６２  プラス溝
７１  円形の溝
８１  開口
９１  スリット
【図１】
2007071012.tif 000003
【図２】
2007071012.tif 000004
【図３】
2007071012.tif 000005
【図４】
2007071012.tif 000006
【図５】
2007071012.tif 000007
【図６】
2007071012.tif 000008
【図７】
2007071012.tif 000009
【図８】
2007071012.tif 000010
【図９】
2007071012.tif 000011
【図１０】
2007071012.tif 000012
【図１１】
2007071012.tif 000013
【図１２】
2007071012.tif 000014
【図１３】
2007071012.tif 000015
【図１４】
2007071012.tif 000016
【図１５】
2007071012.tif 000017
【図１６】
2007071012.tif 000018
【図１７】
2007071012.tif 000019